【事件の表示】
　特願２００２−　３５９１６「スクリーン印刷用アライメント装置」拒絶査定不服審判事件〔平成１５年　８月２６日出願公開、特開２００３−２３７０３１〕について、次のとおり審決する。
【結　論】
　本件審判の請求は、成り立たない。
【理　由】
第１　手続の経緯
　本願は、平成１４年２月１３日の出願であって、平成２０年４月１６日に手続補正がなされ、平成２１年２月１０日付けで拒絶査定がなされ、これに対して、同年３月１９日に拒絶査定不服審判が請求されるとともに、同年４月１４日に手続補正（以下「本件補正」という。）がなされたものである。
　
第２　本件補正の却下の決定
〔結論〕
　本件補正を却下する。
　
〔理由〕
１　補正の内容
（１）本件補正は、特許請求の範囲及び発明の詳細な説明についてするもので、特許請求の範囲については、本件補正前に、
「　　【請求項１】　被印刷体と、前記被印刷体にスクリーン印刷するためのスクリーンとを、前記被印刷体及び前記スクリーンにそれぞれ設けられたアライメントマークを利用して互いに位置合わせするアライメント装置であって、
　前記スクリーンの前記アライメントマークが含まれる所定の領域にレーザー光線を投射する投射部と、
　前記レーザー光線の反射によって得られる前記所定の領域の像を撮像し、得られた画像に対応する信号を出力する撮像部と、
　前記被印刷体及び前記スクリーンの少なくともいずれか一方を駆動する駆動手段と、
　前記撮像部からの信号に基づいて、前記被印刷体及び前記スクリーンの各アライメントマークが一致するように前記駆動手段の動作を制御する制御手段と、
　前記被印刷体と前記スクリーンとの位置合わせに関する前記駆動手段の初期位置の情報を記憶する手段と、を備え、
　前記制御手段は、前記初期位置の情報に基づいて前記駆動手段を駆動して前記被印刷体及び前記スクリーンを第１の精度で位置合わせし、その後に、前記撮像部からの信号に基づいて前記駆動手段を駆動して、前記被印刷体及び前記スクリーンを前記第１の精度よりも高い第２の精度で位置合わせし、
　前記投射部が前記レーザー光線を投射する前記所定の領域は、前記第１の精度に基づいて設定されていることを特徴とするアライメント装置。
　　【請求項２】　前記投射部には、レーザー光線を発生させる光源と、前記光源からのレーザー光線を走査する光学系とが設けられ、
　前記撮像部には、前記所定の領域に向けて設置されたカメラが設けられ、
　前記光学系によってレーザー光線が走査されることによって、前記カメラが前記レーザー光線の反射によって得られる前記所定の領域の像を撮像することを特徴とする請求項１に記載のアライメント装置。
　　【請求項３】　前記スクリーン上におけるレーザー光線のビーム径は、前記スクリーンの網の目よりも小さく設定されていることを特徴とする請求項１又は２に記載のアライメント装置。
　　【請求項４】　前記制御手段は、前記被印刷体及び前記スクリーンを前記第２の精度で位置合わせする際における前記被印刷体のアライメントマークと前記スクリーンのアライメントマークとのずれ量が所定の基準レベルを超えていると判断した場合、前記ずれ量に基づいて前記記憶する手段に記憶されている前記初期位置の情報を更新することを特徴とする請求項１〜３のいずれか一項に記載のアライメント装置。」
とあったものを
「　　【請求項１】　被印刷体と、前記被印刷体にスクリーン印刷するためのスクリーンとを、前記被印刷体及び前記スクリーンにそれぞれ設けられたアライメントマークを利用して互いに位置合わせするアライメント装置であって、
　前記スクリーンの前記アライメントマークが含まれる所定の領域にレーザー光線を投射する投射部と、
　前記レーザー光線の反射によって得られる前記所定の領域の像を撮像し、得られた画像に対応する信号を出力する撮像部と、
　前記被印刷体及び前記スクリーンの少なくともいずれか一方を駆動する駆動手段と、
　前記撮像部からの信号に基づいて、前記被印刷体及び前記スクリーンの各アライメントマークが一致するように前記駆動手段の動作を制御する制御手段と、
　前記被印刷体が上方に配置される固定台に対して前記スクリーンが設計上の正しい位置にセットされ、かつ前記被印刷体が前記駆動手段に対して設計上の位置に正確にセットされたと仮定したときに、前記スクリーン及び前記被印刷体のそれぞれのアライメントマークが正しく重なるときの前記被印刷体の駆動位置として設定される前記駆動手段の初期位置の情報を記憶する手段と、を備え、
　前記制御手段は、まず前記記憶する手段に記憶されている前記初期位置の情報に基づいて前記駆動手段が前記初期位置に駆動されるように前記駆動手段を駆動して前記被印刷体及び前記スクリーンを第１の精度で位置合わせし、その後に、前記撮像部からの信号に基づいて前記スクリーンのアライメントマークと前記被印刷体のアライメントマークとのずれ量を特定し、特定したずれ量に基づいて前記駆動手段を駆動して、前記被印刷体及び前記スクリーンを前記第１の精度よりも高い第２の精度で位置合わせし、
　前記投射部が前記レーザー光線を投射する前記所定の領域は、前記第１の精度に基づいて設定され、
　前記制御手段は、前記被印刷体及び前記スクリーンを前記第２の精度で位置合わせする際における前記被印刷体のアライメントマークと前記スクリーンのアライメントマークとのずれ量が所定の基準レベルを超えていると判断した場合、前記ずれ量に基づいて前記記憶する手段に記憶されている前記初期位置の情報を更新することを特徴とするアライメント装置。
　　【請求項２】　前記投射部には、レーザー光線を発生させる光源と、前記光源からのレーザー光線を走査する光学系とが設けられ、
　前記撮像部には、前記所定の領域に向けて設置されたカメラが設けられ、
　前記光学系によってレーザー光線が走査されることによって、前記カメラが前記レーザー光線の反射によって得られる前記所定の領域の像を撮像することを特徴とする請求項１に記載のアライメント装置。
　　【請求項３】　前記スクリーン上におけるレーザー光線のビーム径は、前記スクリーンの網の目よりも小さく設定されていることを特徴とする請求項１又は２に記載のアライメント装置。」
に補正するものである。
　　
（２）上記（１）の特許請求の範囲についての補正は、本件補正前の請求項１の発明特定事項である「前記被印刷体と前記スクリーンとの位置合わせに関する前記駆動手段の初期位置の情報を記憶する手段」について「前記被印刷体が上方に配置される固定台に対して前記スクリーンが設計上の正しい位置にセットされ、かつ前記被印刷体が前記駆動手段に対して設計上の位置に正確にセットされたと仮定したときに、前記スクリーン及び前記被印刷体のそれぞれのアライメントマークが正しく重なるときの前記被印刷体の駆動位置として設定される」との限定、本件補正前の請求項１の発明特定事項である「初期位置の情報」について「前記記憶する手段に記憶されている」との限定、本件補正前の請求項１の発明特定事項である「制御手段」について「前記駆動手段が前記初期位置に駆動されるように」、「前記スクリーンのアライメントマークと前記被印刷体のアライメントマークとのずれ量を特定し、特定したずれ量に基づいて」及び「前記被印刷体及び前記スクリーンを前記第２の精度で位置合わせする際における前記被印刷体のアライメントマークと前記スクリーンのアライメントマークとのずれ量が所定の基準レベルを超えていると判断した場合、前記ずれ量に基づいて前記記憶する手段に記憶されている前記初期位置の情報を更新する」との限定をするとともに、本件補正前の請求項４を削除したものである。
　
　したがって、本件補正後の特許請求の範囲に係る補正は、平成１４年法律第２４号改正附則第２条第１項によりなお従前の例によるとされる同法による改正前の特許法第１７条の２第４項第１号の請求項の削除及び同第１７条の２第４項第２号の特許請求の範囲の減縮を目的とするものである。
　
　そこで、本件補正後の請求項１に記載された発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
 ２　刊行物
　原査定の拒絶の理由に引用された「本願の出願前に頒布された刊行物である特開２００２−２９０３４号公報（以下「引用例」という。）」には、次の事項が記載されている。（下線は審決で付した。以下同じ。）
　
（１）「【請求項１】
パターン孔が設けられたマスクプレートを基板に当接させ、
基板にペーストを印刷するスクリーン印刷装置であって、前記基板をマスクプレートに対して相対的に位置決めする基板位置決め手段と、基板が位置決めされた状態のマスクプレートを上面側から３次元的に測定して位置決め状態を検出する３次元測定手段と、位置決め状態検出結果に基づいて基板位置決め手段を駆動して位置決め補正を行わせる制御手段とを備えた
スクリーン印刷装置
　
（２）「【０００６】そこで本発明は、
基板とマスクプレートの位置ずれを防止
することを目的とする。
　
（３）「【００１３】まず図１、図２および図３を参照してスクリーン印刷装置の構造を説明する。図１、図２において、
基板位置決め手段である基板位置決め部１は、
基板６を下方から保持する基板保持部７が設けられている。
【００１４】基板位置決め部１の上方には、スクリーンマスク１０が配設されており、スクリーンマスク１０はホルダ１１にマスクプレート１２を装着して構成されている。
基板６は基板位置決め部１によってマスクプレート１２に対して位置合わせされ下方から当接する。
【００１５】
スクリーンマスク１０の上方には、３次元測定手段であるレーザ計測装置２０が設けられている
【００１６】
レーザ計測装置２０はレーザ光を照射する
図４に示すように照射点Ｐを計測範囲Ｒ内で走査させることにより計測範囲Ｒ内の計測対象物表面の垂直方向位置を連続的に検出し、計測対象物の３次元形状を検出できる
　
（４）「【００１８】また、
基板６がマスクプレート１２に対して位置決めされた状態、すなわち基板６をマスクプレート１２に対して水平方向に位置合わせして下面に当接させた状態で、マスクプレート１２の上面側から３次元測定を行うことにより、位置決め状態を検出することができる。
【００１９】図６、図７は、位置決め不良の２つの形態を示している。図６（ａ）は、
基板６とマスクプレート１２の水平方向の相対位置がずれている状態を示しており、基板６の電極６ａ上にパターン孔１２ａが正しく位置しておらず、パターン孔１２ａの端部には幅ｄの隙間が生じている
求められた計測線の形状を正規状態の形状と比較することにより、水平方向の位置ずれを検出することができる
【００２０】図７（ａ）は、基板６とマスクプレート１２の垂直方向の相対位置がずれている状態、すなわち基板６の電極６ａがマスクプレート１２の下面に正しく当接しておらず、隙間ｃが生じている状態を示している。この状態をレーザ計測装置２０によって３次元測定すると、図７（ｂ）に示すように、パターン孔１２ａを示す計測線の凹部の深さが、マスク厚ｔよりも隙間ｃ分だけ大きく現れる。したがって、
パターン孔１２ａを示す計測線の段差を正規寸法と比較することにより、垂直方向の位置ずれを検出することができる。
　
（５）「【００２１】次に、図５を参照して
スクリーン印刷装置の制御系の構成について説明する。
データ記憶部３２は、
各品種ごとに設定された印刷条件のデータを記憶する。
【００２２】
機構制御部３３は、基板位置決め部１や搬入コンベア１４、搬出コンベア１５、Ｘ軸テーブル２１、Ｙ軸テーブル２２などの各機構部の動作を制御する。
【００２３】印刷条件設定部３５は、スクリーン印刷条件を設定する。すなわちスクリーン印刷時にマスクプレート１２上でスキージ１３ａを摺動させるスキージ速度や、スキージ１３ａをマスクプレート１２に対して押圧する印圧値、さらに印刷後に基板をマスクプレート１２から離隔させる際の、基板６のマスクプレート１２に対する相対速度を示す版離れ速度など、各種のパラメータを印刷対象の特性に応じて設定する。
【００２４】
位置決め補正部（位置決め補正手段）３６は、基板６が下面に位置合わせされた状態のマスクプレート１２を上面から３次元測定して得られた位置決め状態検出結果に基づいて、位置決め状態を補正する。すなわち、基板６とマスクプレート１２との水平方向および上下方向の相対位置を検出し、予め記憶された基準データと比較して偏差を求めることにより、正しい位置決め状態に補正する。
　
（６）「【００２８】次いで、実印刷開始前の試し印刷を行う。まずマスクプレート１２上にクリーム半田９が供給され、スキージ１３ａを往復動させてクリーム半田９を練る予備スキージングを行った後に、基板位置決め部１のＺ軸テーブル５を上昇させて基板６をマスクプレート１２の下面に当接させ、基板をマスクプレート１２に対して位置決めする。そして、この後位置決め状態検出が行われる。
【００２９】すなわち、
レーザ計測装置２０を
予め位置決め検出位置として特定された所定のパターン孔位置を３次元測定する。
位置決め状態検出結果、すなわち基板６とマスクプレート１２との水平方向および垂直方向の位置ずれが検出される。そして、この位置決め状態検出結果に基づいて、ＣＰＵ３０および機構制御部３３によって基板位置決め部１のＸ軸テーブル２、Ｙ軸テーブル３、およびＺ軸テーブル５を制御して駆動することにより、位置ずれが補正され、基板６はマスクプレート１２に対して正しく位置決めされる。ＣＰＵ３０および機構制御部３３は、位置決め状態検出結果に基づいて基板位置決め手段を制御して位置決め状態を補正する制御手段となっている。
　　
（７）図４、図６及び図７の記載から、基板（６）に設けられた電極（６ａ）及びマスクプレート（１２）に設けられたパターン孔（１２ａ）を利用し、マスクプレート（１２）に設けられたパターン孔（１２ａ）の含まれる計測範囲に、レーザ計測装置（２０）を用いてレーザ光を照射し、レーザ光の反射によって位置ずれを検出していることが見て取れる。
　
（８）上記（１）ないし（７）から、引用例には、
「パターン孔が設けられたマスクプレートを基板に当接させ、基板に設けられた電極及びマスクプレートに設けられたパターン孔を利用し位置ずれを検出し、基板にペーストを印刷するスクリーン印刷装置であって、
　基板とマスクプレートの位置ずれを防止することを目的として、
　基板を下方から保持する基板保持部が設けられ、基板をマスクプレートに対して相対的に位置決めする基板位置決め手段と、
　基板が位置決めされた状態、すなわち基板をマスクプレートに対して水平方向に位置合わせして下面に当接させた状態で、マスクプレートに設けられたパターン孔の含まれる計測範囲に、レーザ光を照射し、レーザ光の反射を検出することにより、マスクプレートを上面側から３次元的に測定して位置決め状態を検出するレーザ計測装置と、
　各機構部の動作を制御する機構制御部が設けられ、位置決め状態検出結果に基づいて基板位置決め手段を駆動して位置決め補正を行わせる制御手段と、
　各品種ごとに設定された印刷条件のデータを記憶するデータ記憶部とを備えたスクリーン印刷装置。」の発明（以下「引用発明」という。）が記載されているものと認められる。
　
３　対比
　本願補正発明と引用発明とを対比する。　
（１）引用発明の「基板」、「印刷する」、「基板をマスクプレートに対して相対的に位置決めする基板位置決め手段」、「レーザ光を照射」、「レーザ光の反射を検出する」及び「制御手段」は、それぞれ、本願補正発明の「被印刷体」、「印刷する」、「『被印刷体』『を駆動する駆動手段』」、「レーザー光線を投射」、「『レーザー光線の反射によって得られる前記所定の領域』『に対応する信号を出力する』」及び「制御手段」に相当する。
　
（２）引用発明の「レーザ計測装置」は、レーザを照射していることから、レーザ計測装置が投射部を有することは明らかである。また、引用発明の「レーザ計測装置」は、「レーザ光の反射を検出」し「位置決め状態検出結果に基づいて基板位置決め手段を駆動して」おり、本願補正発明の「撮像部」は、「レーザー光線の反射によって得られる」画像に対応する「信号を出力」しているので、引用発明の「レーザ計測装置」のレーザの反射を検出する部分と本願補正発明の「撮像部」とは、レーザー光線の反射を検出する検出部で一致する。
　
（３）引用発明の「マスクプレート」と本願補正発明の「スクリーン」とは、孔版である点で一致する。そして、引用発明の「基板に設けられた電極及びマスクプレートに設けられたパターン孔」と本願補正発明の「前記被印刷体及び前記スクリーンにそれぞれ設けられたアライメントマーク」とは、被印刷体及び孔版にそれぞれ設けられたアライメントマークである点で一致し、引用発明の「マスクプレートに設けられたパターン孔の含まれる計測範囲」、本願補正発明の「前記スクリーンの前記アライメントマークが含まれる所定の領域」とは、孔版のアライメントマークが含まれる所定の領域である点で一致する。
　
（４）引用発明は「『基板が位置決めされた状態、すなわち基板をマスクプレートに対して水平方向に位置合わせして下面に当接させた状態で、』『マスクプレートを上面側から３次元的に測定して位置決め状態を検出』し、『各機構部の動作を制御する機構制御部が設けられ、位置決め状態検出結果に基づいて基板位置決め手段を駆動して位置決め補正を行わせ』」ていることから、「基板が位置決めされた状態、すなわち基板をマスクプレートに対して水平方向に位置合わせして下面に当接させた状態」が、本願補正発明の「初期位置」に相当し、その位置合わせの精度より、前記状態ののち「『マスクプレートを上面側から３次元的に測定して位置決め状態を検出』し、『各機構部の動作を制御する機構制御部が設けられ、位置決め状態検出結果に基づいて基板位置決め手段を駆動して位置決め補正を行わせる』」位置合わせの状態の方が、位置合わせの精度が高いことは自明である。よって、引用発明の「『基板が位置決めされた状態、すなわち基板をマスクプレートに対して水平方向に位置合わせして下面に当接させた状態で、』『マスクプレートを上面側から３次元的に測定して位置決め状態を検出』し、『各機構部の動作を制御する機構制御部が設けられ、位置決め状態検出結果に基づいて基板位置決め手段を駆動して位置決め補正を行わせる制御手段』」と、本願補正発明の「『前記制御手段は、』『前記駆動手段が前記初期位置に駆動されるように前記駆動手段を駆動して前記被印刷体及び前記スクリーンを第１の精度で位置合わせし、その後に、』『前記被印刷体及び前記スクリーンを前記第１の精度よりも高い第２の精度で位置合わせし、』」とは、制御手段は、駆動手段が初期位置に駆動されるように駆動手段を駆動して被印刷体及び孔版を第１の精度で位置合わせし、その後に、前記被印刷体及び前記孔版を前記第１の精度よりも高い第２の精度で位置合わせしている点で一致する。
　
（５）また、引用発明の「基板が位置決めされた状態、すなわち基板をマスクプレートに対して水平方向に位置合わせして下面に当接させた状態で、マスクプレートに設けられたパターン孔の含まれる計測範囲に、レーザ光を照射」することは、基板が位置決めされた状態、すなわち基板をマスクプレートに対して水平方向に位置合わせして下面に当接させた状態の精度に基づいて、マスクプレートに設けられたパターン孔の含まれる計測範囲に、レーザ光を照射していることと認められる。よって、引用発明の「基板が位置決めされた状態、すなわち基板をマスクプレートに対して水平方向に位置合わせして下面に当接させた状態で、マスクプレートに設けられたパターン孔の含まれる計測範囲に、レーザ光を照射」することは、本願補正発明の「前記投射部が前記レーザー光線を投射する前記所定の領域は、前記第１の精度に基づいて設定され」ることに相当する。
　
（６）引用発明は、「基板に設けられた電極及びマスクプレートに設けられたパターン孔を利用し位置ずれを検出し」て、「位置決め状態検出結果に基づいて基板位置決め手段を駆動して位置決め補正を行わせ」ていることから、引用発明の「位置決め状態検出結果に基づいて基板位置決め手段を駆動して位置決め補正を行わせる」は、本願補正発明の「『前記スクリーンのアライメントマークと前記被印刷体のアライメントマークとのずれ量を特定し、特定したずれ量に基づいて前記駆動手段を駆動して、』『位置合わせし』」と、「孔版の『アライメントマークと前記被印刷体のアライメントマークとのずれ量を特定し、特定したずれ量に基づいて前記駆動手段を駆動して、』『位置合わせし』」た点で一致する。
　
（７）引用発明の「各品種ごとに設定された印刷条件のデータを記憶するデータ記憶部」と、本願補正発明の「前記被印刷体が上方に配置される固定台に対して前記スクリーンが設計上の正しい位置にセットされ、かつ前記被印刷体が前記駆動手段に対して設計上の位置に正確にセットされたと仮定したときに、前記スクリーン及び前記被印刷体のそれぞれのアライメントマークが正しく重なるときの前記被印刷体の駆動位置として設定される前記駆動手段の初期位置の情報を記憶する手段」とは、記憶する手段である点で一致する。
　
（８）上記（１）ないし（７）及び本願補正発明の「アライメント装置」は、「投射部」、「撮像部」、「駆動手段」、「制御手段」及び「記憶する手段」を備えた装置であることからして、引用発明の「レーザ計測装置」、「基板位置決め手段」、「制御手段」及び「データ記憶部」は、本願補正発明の「アライメント装置」に相当する。
　
（９）上記（１）ないし（８）からみて、本願補正発明と引用発明とは、
「被印刷体と、前記被印刷体に印刷するための孔版とを、前記被印刷体及び前記孔版にそれぞれ設けられたアライメントマークを利用して互いに位置合わせするアライメント装置であって、
　前記孔版の前記アライメントマークが含まれる所定の領域にレーザー光線を投射する投射部と、
　レーザー光線の反射を検出する検出部と、
　前記被印刷体を駆動する駆動手段と、
　前記検出部からの信号に基づいて、前記被印刷体及び前記孔版の各アライメントマークが一致するように前記駆動手段の動作を制御する制御手段と、
　記憶する手段と、を備え、
　前記制御手段は、前記駆動手段が初期位置に駆動されるように前記駆動手段を駆動して前記被印刷体及び前記孔版を第１の精度で位置合わせし、その後に、前記撮像部からの信号に基づいて前記孔版のアライメントマークと前記被印刷体のアライメントマークとのずれ量を特定し、特定したずれ量に基づいて前記駆動手段を駆動して、前記被印刷体及び前記孔版を前記第１の精度よりも高い第２の精度で位置合わせし、
　前記投射部が前記レーザー光線を投射する前記所定の領域は、前記第１の精度に基づいて設定されるアライメント装置。」である点で一致し、
次の相違点で相違する。
　
相違点１：孔版が、本願補正発明においては「スクリーン」であるのに対して、引用発明では「マスクプレート」である点。
　
相違点２：レーザー光線の反射を検出する検出部が、本願補正発明においては、「所定の領域の像を撮像し、得られた画像に対応する信号を出力する撮像部」であるのに対し、引用発明はレーザ光の反射を検出するものであって、検出結果の信号を出力することは明らかであるものの、撮像しているものではない点。
　
相違点３：記憶する手段が記憶する情報が、本願補正発明においては、「被印刷体が上方に配置される固定台に対して前記スクリーンが設計上の正しい位置にセットされ、かつ前記被印刷体が前記駆動手段に対して設計上の位置に正確にセットされたと仮定したときに、前記スクリーン及び前記被印刷体のそれぞれのアライメントマークが正しく重なるときの前記被印刷体の駆動位置として設定される前記駆動手段の初期位置の情報」であるのに対し、引用発明においては、「各品種ごとに設定された印刷条件のデータ」である点。
　
相違点４：初期位置に駆動する場合に、本願補正発明では、「前記記憶する手段に記憶されている前記初期位置の情報に基づいて」いるのに対し、引用発明では、そのようにしているのか明らかでない点。
　
相違点５：本願補正発明においては、「前記制御手段は、前記被印刷体及び前記スクリーンを前記第２の精度で位置合わせする際における前記被印刷体のアライメントマークと前記スクリーンのアライメントマークとのずれ量が所定の基準レベルを超えていると判断した場合、前記ずれ量に基づいて前記記憶する手段に記憶されている前記初期位置の情報を更新する」のに対し、引用発明においては、そのようにしているのか明らかでない点。
　
４　判断
（１）相違点１について
　孔版としてスクリーンを用いて印刷する技術は、本願出願前に周知（特開平１０−１４５０３５号公報（【０００４】参照。）、特開平７−１５１４０号公報（【００１５】参照。）、特開平１−２８４４９５号公報（第１頁右欄第１０〜１６行参照。）、以下「周知技術１」という。）である。
　したがって、引用発明において、上記相違点１に係る本願補正発明の構成となすことは、当業者が周知技術１に基づいて容易になし得たことである。
　
（２）相違点２について
　ア　レーザビームの反射によって得られる所定の領域の像を撮像し、得られた画像に対応する信号を出力するレーザ変位センサは、本願出願前に周知である（例．特開２００１−４７６００号公報（【０００３】参照。）、特開平５−１２３８９２号公報（【００５４】参照。）、以下「周知技術２」という。）。
　
　イ　引用発明の検出部に、周知技術２を採用して、レーザー光の反射によって得られるマスクプレートに設けられたパターン孔の含まれる計測範囲の像を撮像し、得られた画像に対応する信号を出力するレーザ計測装置とすることは、当業者が容易になし得たことである。
　
　ウ　したがって、上記イからみて、引用発明において、上記相違点２に係る本願補正発明の構成となすことは、当業者が周知技術２に基づいて容易になし得たことである。
　
（３）相違点３ないし５について
　ア　基板及びマスクプレートを位置合わせする際における前記基板の電極と前記マスクプレートの特定のパターン穴との位置ずれ量に基づいてデータ記憶部に記憶されている印刷位置データを更新することは、本願出願前に周知である（例．特開２００２−２９０２７号公報（【００２２】〜【００２９】参照。）、特開平５−１０２６４９号公報（【０００１】〜【０００５】及び【００１２】〜【００１４】参照。「版」、「合わせ用ターゲットマーク」、「合わせ用開口部」及び「『初期設定値の』『微調整分を記憶』」が、それぞれ「マスクプレート」、「電極」、「特定のパターン穴」及び「データ記憶部」に相当する。）、特開２０００−２１１１０６号公報（【００１９】〜【００２６】参照。「認識マーク」、「開口部」及び「印刷位置データ記憶部」が、それぞれ「電極」、「特定のパターン穴」及び「データ記憶部」に相当する。）、以下「周知技術３」という。）。
　
 イ　引用発明は、「基板を下方から保持する基板保持部が設けられ、基板をマスクプレートに対して相対的に位置決め」された状態で、「基板に設けられた電極及びマスクプレートに設けられたパターン孔を利用し」「位置決め状態を検出」していることから、引用発明の「基板保持部」が本願補正発明の「固定台」に相当し、当該位置決めをアライメントマークである電極とパターン孔が正しく重なるよう設定するようになすことは自明である。
　
　ウ　また、印刷位置データをデータ記憶部に記憶することは周知（上記周知技術３参照。）であり、引用発明において、「基板をマスクプレートに対して相対的に位置決めする」情報をデータ記憶部に記憶させるようになすことは、当業者が適宜設定することにすぎない。
　
　エ　そして、上記ウのようにした場合に、データ記憶部に記憶されている「基板をマスクプレートに対して相対的に位置決めする」情報に基づいて、駆動し位置決めすることは、当業者が当然行うことにすぎない。
　
　オ　更に、引用発明は基板とマスクプレートの位置ずれを防止することを目的としていることから、上記周知技術３を採用して、制御手段が、基板及びマスクプレートを位置合わせする際における基板の電極とマスクプレートのパターン孔とのずれ量に基づいて、データ記憶部に記憶されている基板をマスクプレートに対して相対的に位置決めする情報を更新するようになすことは、当業者が容易になし得たことである。また、当該ずれ量に基づいてをずれ量の所定の基準レベルが超えているかどうかとすることは、当業者が当然考慮することにすぎない。
　
　カ　したがって、上記イないしオからみて、引用発明において、上記相違点３ないし５に係る本願補正発明の構成となすことは、当業者が周知技術３に基づいて容易になし得たことである。
　
（４）　効果について
　本願補正発明の奏する効果は、引用発明が奏する効果、周知技術１が奏する効果、周知技術２が奏する効果及び周知技術３が奏する効果から当業者が予測できたものである。
　
（５）　まとめ
　したがって、本願補正発明は、当業者が、引用例に記載された発明、周知技術１、周知技術２及び周知技術３に基づいて容易に発明をすることができたものであるから、特許法第２９条第２項の規定により特許出願の際独立して特許を受けることができないものである。
　
５　小括
　以上のとおり、本願補正発明は、特許出願の際独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反するものであり、同法第１５９条第１項において読み替えて準用する同法第５３条第１項の規定により却下すべきものである。
　
第３　本願発明について
１　本願発明
　本件補正は上記のとおり却下されたので、本願の請求項に係る発明は、平成２０年４月１６日付け手続補正によって補正された明細書及び図面の記載からみて、その特許請求の範囲の請求項１ないし４に記載された事項によって特定されるものであるところ、請求項１に係る発明（以下「本願発明」という。）は、上記「第２〔理由〕１（１）」で、本件補正前の請求項１として記載したとおりのものである。
　
２　引用刊行物の記載
　原査定の拒絶の理由で引用された引用例及びその記載事項は、上記「第２〔理由〕２」に記載したとおりである。
　
３　対比・判断　
　本願発明は、上記第２で検討した本願補正発明において、その発明を特定するために必要な事項である「前記被印刷体と前記スクリーンとの位置合わせに関する前記駆動手段の初期位置の情報を記憶する手段」について「前記被印刷体が上方に配置される固定台に対して前記スクリーンが設計上の正しい位置にセットされ、かつ前記被印刷体が前記駆動手段に対して設計上の位置に正確にセットされたと仮定したときに、前記スクリーン及び前記被印刷体のそれぞれのアライメントマークが正しく重なるときの前記被印刷体の駆動位置として設定される」との限定、その発明を特定するために必要な事項である「初期位置の情報」について「前記記憶する手段に記憶されている」との限定、その発明を特定するために必要な事項である「制御手段」について「前記駆動手段が前記初期位置に駆動されるように」、「前記スクリーンのアライメントマークと前記被印刷体のアライメントマークとのずれ量を特定し、特定したずれ量に基づいて」及び「前記被印刷体及び前記スクリーンを前記第２の精度で位置合わせする際における前記被印刷体のアライメントマークと前記スクリーンのアライメントマークとのずれ量が所定の基準レベルを超えていると判断した場合、前記ずれ量に基づいて前記記憶する手段に記憶されている前記初期位置の情報を更新する」との限定を削除したものに相当する。
　そうすると、本願発明の構成要件をすべて含み、さらに限定を付加したものに相当する本願補正発明が、上記「第２〔理由〕４」に記載したとおり、当業者が、引用例に記載された発明、周知技術１、周知技術２及び周知技術３に基づいて容易に発明をすることができたものであるから、本願発明も同様の理由により、当業者が、引用例に記載された発明、周知技術１、周知技術２及び周知技術３に基づいて容易に発明をすることができたものである。
　
４　むすび 
　以上のとおり、本願発明は、当業者が引用例に記載された発明、周知技術１、周知技術２及び周知技術３に基づいて容易に発明をすることができたものであるから、特許法第２９条第２項の規定により特許を受けることができないものであり、他の請求項に係る発明を検討するまでもなく、本願は、拒絶されるべきものである。 
　よって、結論のとおり審決する。